(57)【要約】【課題】  洗面化粧台等に使用可能な排水装置において、オーバーフロー水が、オーバーフロー口に臨んで開口した屈曲管部を経由して、スムーズに流下し得る排水装置を提供する。【解決手段】  貯水部２の内面３に設けたオーバーフロー口４と、貯水部２の底面５に設けた排水口６から下方に延設された排水口管７と、を連通するオーバーフロー流水路８を備えた排水装置において、オーバーフロー流水路８を構成し、オーバーフロー口４に臨んで開口した屈曲管部９の落口１０側の垂直内壁面１１に整流構造１２（１２ａ）を形成するものであるので、オーバーフロー水が、オーバーフロー口４に臨んで開口した前記屈曲管部９を経由して、スムーズに流下し得ることとなる。【選択図】図１
2006063515.tif 000002
【特許請求の範囲】
【請求項１】
貯水部の内面に設けたオーバーフロー口と、前記貯水部の底面に設けた排水口から下方に延設された排水口管と、を連通するオーバーフロー流水路を備えた排水装置において、前記オーバーフロー流水路を構成し、前記オーバーフロー口に臨んで開口した屈曲管部の落口側垂直内壁面に整流構造を形成することを特徴とする排水装置。
【請求項２】
前記整流構造が、垂直方向に平行して形成した複数個の整流フィンであることを特徴とする請求項１記載の排水装置。
【発明の詳細な説明】
【技術分野】
【０００１】
本発明は、洗面化粧台等に使用可能な排水装置に関するものである。
【背景技術】
【０００２】
洗面化粧台等に使用可能な従来の排水装置としては、例えば、特開平１０−２２７０５３号公報に開示するように、貯水部の内面に設けたオーバーフロー口と、前記貯水部の底面に設けた排水口から下方に延設された排水口管と、を連通するオーバーフロー流水路を有するものが良く知られている。
【０００３】
一方、かかるオーバーフロー流水路を有する排水装置においては、多くの場合、構造設計上の制約等から、前記オーバーフロー口に臨んで開口した屈曲管部を備え、貯水部のオーバーフロー水を前記屈曲管部の落口より下方向に流下させる方式を採用している。
【０００４】
この場合において、従来のオーバーフロー流水路を有する排水装置においては、図４に示すように、屈曲管部９の落口１０より貯水部のオーバーフロー水を下方向に流下させる際、屈曲管部９の垂直内壁面１１に沿って、オーバーフロー水を効果的に呼び込むことができず、さらに、垂直内壁面１１に沿ってオーバーフロー水が効率的に流下できない結果、オーバーフロー水の流下水流が管路全体を有効に使えず、結果的に、オーバーフロー能力が不充分となるという問題点があった。
【特許文献１】特開平１０−２２７０５３号公報
【発明の開示】
【発明が解決しようとする課題】
【０００５】
本発明は、上記背景技術に鑑みて発明されたものであり、その課題は、洗面化粧台等に使用可能な排水装置において、オーバーフロー水が、オーバーフロー口に臨んで開口した屈曲管部を経由して、スムーズに流下し得る排水装置を提供することにある。
【課題を解決するための手段】
【０００６】
上記課題を解決するために、請求項１に係る発明の排水装置にあっては、貯水部の内面に設けたオーバーフロー口と、前記貯水部の底面に設けた排水口から下方に延設された排水口管と、を連通するオーバーフロー流水路を備えた排水装置において、前記オーバーフロー流水路を構成し、前記オーバーフロー口に臨んで開口した屈曲管部の落口側垂直内壁面に整流構造を形成することを特徴とするものである。
【０００７】
請求項２に係る発明の排水装置にあっては、請求項１記載の排水装置において、前記整流構造が、垂直方向に平行して形成した複数個の整流フィンであることを特徴とするものである。
【発明の効果】
【０００８】
本発明の排水装置では、貯水部の内面に設けたオーバーフロー口と、前記貯水部の底面に設けた排水口から下方に延設された排水口管と、を連通するオーバーフロー流水路を備えた排水装置において、前記オーバーフロー流水路を構成し、前記オーバーフロー口に臨んで開口した屈曲管部の落口側垂直内壁面に整流構造を形成するものであるので、オーバーフロー水が、オーバーフロー口に臨んで開口した前記屈曲管部を経由して、スムーズに流下し得ることとなる。
【発明を実施するための最良の形態】
【０００９】
以下、本発明の実施形態を図面に基づき説明する。なお、本発明の排水装置は、下記の実施形態にのみ限定されるものではなく、本発明の要旨を逸脱しない範囲内において種々変更を加え得ることは勿論である。
【００１０】
ここで、図１は、本発明の一実施形態である排水装置の概略を示す部分断面図である。一方、図２は、本発明の一実施形態である排水装置の要部の概略を模式的に示すもので、（ａ）は、屈曲管部９の垂直内壁面１１に直交する面での横断面図、（ｂ）は、（ａ）のＡ‐Ａ‘線における縦断面図である。さらに、図３は、本発明の上記と異なる実施形態である排水装置の要部の概略を模式的に示すもので、（ａ）は、屈曲管部９の垂直内壁面１１に直交する面での横断面図、（ｂ）は、（ａ）のＢ‐Ｂ‘線における縦断面図である。
【００１１】
本実施形態の排水装置１は、図１、図２に示すように、洗面化粧台の貯水部２である洗面ボール２ａの内面３に設けたオーバーフロー口４と、洗面ボール２ａの底面５に設けた排水口６から下方に延設された排水口管７とを連通するオーバーフロー流水路８を備えた排水装置において、前記オーバーフロー流水路８を構成し、オーバーフロー口４に臨んで開口した屈曲管部９の落口１０側の垂直内壁面１１に整流構造１２である、垂直方向に平行して形成した複数個の整流フィン１２ａを形成するものである。
【００１２】
すなわち、上記図４に示すように、従来例に係る排水装置では、オーバーフロー水が屈曲管部９の垂直内壁面１１に沿って、効率的に流下できないのに対し、本実施形態に係る排水装置１では、整流構造１２である複数個の整流フィン１２ａを屈曲管部９の落口１０側の垂直内壁面１１に形成することによって、オーバーフロー口４から屈曲管部９の垂直内壁面１１及び整流フィン１２ａに沿って、オーバーフロー水を効果的に呼び込むことができ、さらに、上記垂直内壁面１１及び整流フィン１２ａに沿ってオーバーフロー水が効率的に流下し得るので、オーバーフロー水の水流の整流化が促進される結果、乱流抵抗が低減され、整流構造１２である複数個の整流フィン１２ａのない上記従来例と比較して、相対的にオーバーフロー能力を向上できることとなる（図２参照）。その結果、オーバーフロー水が、オーバーフロー口４に臨んで開口した屈曲管部９を経由して、スムーズに流下し得ることとなり、ひいては、オーバーフロー流水路８全体の有効活用ができることとなるというものである。
【００１３】
なお、整流構造１２は、上記複数個の整流フィン１２ａにのみ限定されるものではなく、例えば、図３に示すように、屈曲管部９の落口１０側の垂直内壁面１１から立設した水流方向（この場合、略鉛直方向）に平行な複数個の整流隔壁１２ｂ等であってもよく、オーバーフロー口４から屈曲管部９の垂直内壁面１１及び整流構造１２に沿って、オーバーフロー水を効果的に呼び込むことができ、さらに、上記垂直内壁面１１及び整流構造１２に沿ってオーバーフロー水が効率的に流下し得るように誘導し得るものであれば、特に制限はなく、上記課題解決に寄与する限りにおいて、何ら制約がないことはいうまでもない。
【００１４】
以上のように、本発明の排水装置では、貯水部の内面に設けたオーバーフロー口と、前記貯水部の底面に設けた排水口から下方に延設された排水口管と、を連通するオーバーフロー流水路を備えた排水装置において、前記オーバーフロー流水路を構成し、前記オーバーフロー口に臨んで開口した屈曲管部の落口側垂直内壁面に整流構造を形成するものであるので、オーバーフロー水が、オーバーフロー口に臨んで開口した前記屈曲管部を経由して、スムーズに流下し得ることとなる。
【図面の簡単な説明】
【００１５】
【図１】本発明の一実施形態である排水装置の概略を示す部分断面図である。
【図２】本発明の一実施形態である排水装置の要部の概略を模式的に示すもので、（ａ）は、屈曲管部９の垂直内壁面１１に直交する面での横断面図、（ｂ）は、（ａ）のＡ‐Ａ‘における縦断面図である。
【図３】本発明の上記と異なる実施形態である排水装置の要部の概略を模式的に示すもので、（ａ）は、屈曲管部９の垂直内壁面１１に直交する面での横断面図、（ｂ）は、（ａ）のＢ‐Ｂ‘における縦断面図である。
【図４】従来例に係る排水装置の要部の概略を模式的に示すもので、屈曲管部９の垂直二等分面における縦断面図である。
【符号の説明】
【００１６】
１    排水装置
２    貯水部
２ａ  洗面ボール
３    内面（洗面ボール２ａ）
４    オーバーフロー口
５    底面（洗面ボール２ａ）
６    排水口
７    排水口管
８    オーバーフロー流水路
９    屈曲管部
１０    落口（屈曲管部９）
１１    垂直内壁面
１２    整流構造
１２ａ  整流フィン
１２ｂ  整流隔壁
１３    排水管
１４    レリーズ
１５    操作部
１６    栓体
【図１】
2006063515.tif 000003
【図２】
2006063515.tif 000004
【図３】
2006063515.tif 000005
【図４】
2006063515.tif 000006